(57)【特許請求の範囲】
【請求項１】
自身が通電されているか否かに応じて、監視対象となる設備の状態を通知する状態通知回路と、
前記設備の状態の変化に応じて、前記状態通知回路の通電状態を切り替える切替回路と、
前記状態通知回路と直列に接続され、前記状態通知回路に流れる電流を調整する電流調整回路と、を備え、
前記電流調整回路は、抵抗とコンデンサとが並列に接続された回路であり、
前記抵抗の抵抗値は、前記コンデンサが定常状態となったときに前記状態通知回路に流れる電流の電流値が、前記状態通知回路が動作可能な最低限の電流値となるように定められた抵抗値である、
監視回路。
【請求項２】
前記切替回路は、前記設備が正常か否かに応じて、前記状態通知回路の通電状態を切り替え、
前記状態通知回路は、自身が通電されているか否かに応じて、前記設備の異常を通知する、
請求項１に記載の監視回路。
【請求項３】
前記コンデンサは、セラミックコンデンサである、
請求項２に記載の監視回路。
【請求項４】
前記コンデンサの静電容量は、１００ｐＦ以下である、
請求項３に記載の監視回路。
【請求項５】
前記切替回路は、前記設備が異常である場合に、前記状態通知回路を通電し、前記設備が正常である場合には、前記状態通知回路を通電せず、
前記状態通知回路は、自身が通電されている場合に、前記設備の異常を通知する、
請求項１乃至４いずれか１項に記載の監視回路。
【請求項６】
前記切替回路は、前記設備が正常である場合に、前記状態通知回路を通電し、前記設備が異常である場合には、前記状態通知回路を通電せず、
前記状態通知回路は、自身が通電されている場合に、前記設備が正常であることを通知する、
請求項１乃至４のいずれか１項に記載の監視回路。
【請求項７】
監視対象となる設備の状態の変化に応じて通電状態が切り替えられ、自身が通電されているか否かに応じて、前記設備の状態を通知する状態通知回路と、
前記状態通知回路と直列に接続され、前記状態通知回路に流れる電流を調整する電流調整回路と、を備え、
前記電流調整回路は、抵抗とコンデンサとが並列に接続された回路であり、
前記抵抗の抵抗値は、前記コンデンサが定常状態となったときに前記状態通知回路に流れる電流の電流値が、前記状態通知回路が動作可能な最低限の電流値となるように定められた抵抗値である、
監視装置。
【発明の詳細な説明】
【技術分野】
【０００１】
本発明は、監視回路及び監視装置に関し、特に、設備を監視する装置における回路に流れる電流を調整する技術に関する。
【背景技術】
【０００２】
特許文献１は、リレー接点の開閉状態を監視するデータ処理装置において、リレー接点とフォトカプラの発光側との間に過渡電流発生回路を設けることで、小さな消費電力で接点の状態を良好に維持できるようにする技術を開示している。
【０００３】
この過渡電流発生回路は、コレクタがリレー接点の一方に接続された電流増幅用ＰＮＰ型トランジスタと、このトランジスタのエミッタとフォトカプラの発光側との間に接続された電流制限抵抗と、フォトカプラの発光側と上記トランジスタのベースとの間に接続されたツェナーダイオードと、このツェナーダイオード及び上記トランジスタのベースに一端が接続され他端が抵抗を介してリレー接点の一方に接続されたコンデンサと、このコンデンサの他端とリレー接点の一方との間に接続されたダイオードと、上記トランジスタと並列に接続された電流制限抵抗とを備えている。
【０００４】
特許文献１は、このような過渡電流発生回路を備えることにより、リレー接点が浄化作用を保つ最低レベルを上限値として、過渡的な電流を予め定められた時間接点に供給することができるようにしている。これにより、接点部で満足な接触を得られるようにして、低消費電力で且つ信頼度の高い接点入力回路が構成できるようにしている。
【先行技術文献】
【特許文献】
【０００５】
【特許文献１】実開昭６３−１４２９２２号公報
【発明の概要】
【発明が解決しようとする課題】
【０００６】
しかしながら、特許文献１に開示の技術では、リレー接点が浄化作用を保つ最低レベルを上限値として、過渡的な電流を予め定められた時間接点に供給することができるようにするために、過渡電流発生回路の回路構成が複雑となり、回路規模が増大してしまっているという問題がある。
【０００７】
本発明の目的は、上述したような課題を解決するために、簡易な回路構成で、通電状態を切り替える回路における接触不良を防止することができる監視回路及び監視装置を提供することである。
【課題を解決するための手段】
【０００８】
本発明の第１の態様に係る監視回路は、自身が通電されているか否かに応じて、監視対象となる設備の状態を通知する状態通知回路と、前記設備の状態の変化に応じて、前記状態通知回路の通電状態を切り替える切替回路と、前記状態通知回路と直列に接続され、前記状態通知回路に流れる電流を調整する電流調整回路と、を備え、前記電流調整回路は、抵抗とコンデンサとが並列に接続された回路である。
【０００９】
本発明の第２の態様に係る監視装置は、監視対象となる設備の状態の変化に応じて通電状態が切り替えられ、自身が通電されているか否かに応じて、前記設備の状態を通知する状態通知回路と、前記状態通知回路と直列に接続され、前記状態通知回路に流れる電流を調整する電流調整回路と、を備え、前記電流調整回路は、抵抗とコンデンサとが並列に接続された回路である。
【発明の効果】
【００１０】
上述した本発明の各態様によれば、簡易な回路構成で、通電状態を切り替える回路における接触不良を防止することができる監視回路及び監視装置を提供することができる。
【図面の簡単な説明】
【００１１】
【図１】実施の形態に係る遠方監視制御システムの構成図である。
【図２】比較例に係る表示入力回路の構成図である。
【図３】比較例に係る表示入力回路の電圧及び電流を示す図である。
【図４】実施の形態に係る遠方監視制御装置の筐体を示す図である。
【図５】実施の形態に係る表示入力回路の構成図である。
【図６】実施の形態に係る表示入力回路の電圧及び電流を示す図である。
【図７】実施の形態に係る遠方監視制御システムの通電パターンを示す図である。
【発明を実施するための形態】
【００１２】
以下に図面を参照しながら、本発明の好適な実施形態について説明する。以下の実施形態に示す具体的な数値等は、発明の理解を容易とするための例示にすぎず、特に断る場合を除き、それに限定されるものではない。また、以下の記載及び図面では、説明の明確化のため、当業者にとって自明な事項等については、適宜、省略及び簡略化がなされている。
【００１３】
＜発明の実施の形態＞
図１を参照して、本発明の実施の形態に係る遠方監視制御システム１の構成について説明する。図１に示すように、遠方監視制御システム１は、制御所２と、複数の被制御所３とを有する。制御所２は、遠方監視制御装置１０が設置される。複数の被制御所３のそれぞれは、遠方監視制御装置１１と、被監視制御装置１２と、電源１３とが設置される。
【００１４】
遠方監視制御システム１は、高速道路又は発電所などの様々なシステムの監視制御を行う。高速道路や発電所のような大規模なシステムでは、遠方監視制御装置１０、１１は、制御所２と被制御所３に別々に設置される。よって、小規模なシステムでは、遠方監視制御装置１０、１１は、同一の場所に設置されていてもよい。
【００１５】
制御所２の遠方監視制御装置１０は、伝送路を介して、各被制御所３の遠方監視制御装置１１と通信することで、各被制御所３の遠方監視制御装置１１及び被監視制御装置１２を介して、監視及び制御の対象となる設備の状態監視および制御を行う。遠方監視制御装置１０は、設備を制御する制御信号を、各被制御所３の遠方監視制御装置１１に送信する。遠方監視制御装置１０は、設備の状態を通知する状態信号を、各被制御所３の遠方監視制御装置１１から受信する。
【００１６】
被制御所３の遠方監視制御装置１１は、電気回路を介して、被監視制御装置１２と通信することで、監視及び制御の対象となる設備の状態監視および制御を行う。遠方監視制御装置１１は、後述するように、被監視制御装置１２との間にまたがる電気回路の通電状態に応じて、監視及び制御の対象となる設備の状態を通知する状態信号を、制御所２の遠方監視制御装置１０に送信する。この電気回路は、「表示入力回路１１０」として、後述される。また、被制御所３の遠方監視制御装置１１は、制御所２の遠方監視制御装置１０から受信した制御信号に基づいて、被監視制御装置１２を介して、監視及び制御の対象となる設備を制御することもできる。
【００１７】
被監視制御装置１２は、遠方監視制御装置１１との間にまたがる電気回路の通電状態を切り替えることで、監視及び制御の対象となる設備の状態を遠方監視制御装置１１に通知する。被監視制御装置１２は、監視及び制御の対象となる設備における異常もしくは復旧を検出したときに、上述の電気回路の通電状態を切り替えることで、設備の異常もしくは復旧を遠方監視制御装置１１に通知する。
【００１８】
電源１３は、遠方監視制御装置１１に電源電圧を供給する。この電源１３は、後述の電源１１１として機能する。
【００１９】
例えば、遠方監視制御システム１が高速道路を監視するシステムである場合には、管制室が制御所２に該当し、料金所およびパーキングエリアなどが被制御所３に該当する。遠方監視制御装置１０は、管制室の電気室に設置される。遠方監視制御装置１１は、料金所およびパーキングエリアなどの電気室に設置される。被監視制御装置１２は、料金所およびパーキングエリアなどの電気室に設置される。
【００２０】
管制室の遠方監視制御装置１０は、料金所およびパーキングエリアなどの遠方監視制御装置１１を監視する。遠方監視制御装置１１は、その遠方監視制御装置１１と同一の被制御所３（料金所又はパーキングエリアなど）内に設置された被監視制御装置１２を監視する。
【００２１】
被監視制御装置１２は、設備の異常を検出したときに、上述の電気回路の通電状態を切り替えることで、設備の異常を遠方監視制御装置１１に通知する。ここで、設備の異常は、例えば、情報表示板の回路故障、及び、トンネルの火災発生検知器の異常検知などである。遠方監視制御装置１１に通知された設備の異常は、遠方監視制御装置１０に通知される。管制室では、遠方監視制御装置１０は、遠方監視制御装置１１からの設備の異常の通知に応じて、遠方監視制御装置１０に接続された情報表示端末（例えば、パーソナルコンピュータなど）に設備の異常を表示する。情報表示端末に表示された設備の異常を確認したオペレータは、直ちに設備に向かい、保守作業を実施する。
【００２２】
その後、被監視制御装置１２は、設備の復旧を検出したときに、上述の電気回路の通電状態を切り替えることで、設備の復旧を遠方監視制御装置１１に通知する。遠方監視制御装置１１に通知された設備の復旧は、遠方監視制御装置１０に通知される。遠方監視制御装置１０は、遠方監視制御装置１１からの設備の復旧の通知に応じて、情報表示端末に表示されていた設備の異常を消灯する。言い換えると、遠方監視制御装置１０は、設備が正常であることを情報表示端末に表示する。これにより、管制室のオペレータは、情報表示端末の表示によって、設備の状態が復旧したことを認識する。
【００２３】
続いて、本発明の実施の形態に係る表示入力回路１１０について説明する前に、図２を参照して、比較例となる表示入力回路１００について説明する。
【００２４】
図２に示すように、表示入力回路１００は、電源１１１と、メカニカルリレー１１２と、フォトカプラ１１３と、抵抗１１４と、内部ＤＩ１１８とを有する。メカニカルリレー１１２は、被監視制御装置１２に含まれ、フォトカプラ１１３、抵抗１１４及び内部ＤＩ１１８は、遠方監視制御装置１１に含まれる。
【００２５】
メカニカルリレー１１２に一端は、電源１１１のプラス端子と接続されている。メカニカルリレー１１２の他端は、フォトカプラ１１３のフォトダイオードの一端（アノード）と接続されている、フォトカプラ１１３のフォトダイオードの他端（カソード）は、抵抗１１４の一端と接続されている。抵抗１１４の他端は、電源１１１のマイナス端子と接続されている。すなわち、表示入力回路１００は、メカニカルリレー１１２と、フォトカプラ１１３と、抵抗１１４とが直列に接続された回路となる。
【００２６】
フォトカプラ１１３のフォトトランジスタのコレクタは、内部ＤＩ１１８と接続されている。フォトカプラ１１３のフォトトランジスタのエミッタは、アースと接続されている。
【００２７】
電源１１１は、表示入力回路１００に電圧を供給する。ここでは、電源１１１が１００Ｖの直流電圧を供給する例について説明する。よって、メカニカルリレー１１２がオンとされている間、表示入力回路１００では、メカニカルリレー１１２、フォトカプラ１１３、抵抗１１４の順に直流電流が流れる。
【００２８】
メカニカルリレー１１２は、メカニカルリレー１１２の端子間の接続（オン）および非接続（オフ）を切り替える回路である。メカニカルリレー１１２の端子間が接続状態とされることで、表示入力回路１００に直流電流が流れ、メカニカルリレー１１２の端子間が非接続状態とされることで、表示入力回路１００に直流電流が流れないようにされる。
【００２９】
メカニカルリレー１１２は、被監視制御装置１２が設備の異常を検出したときに、被監視制御装置１２によってオンにされる。メカニカルリレー１１２は、被監視制御装置１２が設備の復旧を検出したときに、被監視制御装置１２によってオフにされる。言い換えると、メカニカルリレー１１２は、被監視制御装置１２が設備が異常であると判定している間は、被監視制御装置１２によってオンにされる。一方、被監視制御装置１２が設備が正常であると判定している間は、被監視制御装置１２によってオフにされる。
【００３０】
フォトカプラ１１３は、フォトダイオード（発光ダイオード、発光素子）と、フォトトランジスタ（受光素子）とを有する。メカニカルリレー１１２がオンにされ、フォトカプラ１１３のフォトダイオードに電流が流れている間、フォトダイオードが発光する。フォトダイオードが発光すると、フォトカプラ１１３のフォトトランジスタは、フォトカプラ１１３のフォトダイオードが発光した光の受光に応じて、そのコレクタからエミッタに向けて電流を流す。これにより、内部ＤＩ１１８に電流が流され、内部ＤＩ１１８が動作する。メカニカルリレー１１２がオフにされ、フォトカプラ１１３のフォトダイオードに電流が流れていない間は、フォトダイオードは発光しない。この場合、フォトカプラ１１３のフォトトランジスタ、及び内部ＤＩ１１８には電流は流れず、内部ＤＩ１１８は動作しない。
【００３１】
抵抗１１４は、表示入力回路１００に流れる電流を調整するための抵抗である。ここでは、抵抗１１４が２０００Ωである例について説明する。
【００３２】
内部ＤＩ１１８は、フォトカプラ１１３のフォトトランジスタによって電流が流されているか否かに応じて、監視及び制御の対象となる設備の状態を通知する回路である。内部ＤＩ１１８は、フォトカプラ１１３のフォトトランジスタによって内部ＤＩ１１８に電流が流されている間、設備の異常を通知する状態信号を、遠方監視制御装置１０に送信する。内部ＤＩ１１８は、フォトカプラ１１３のフォトトランジスタによって内部ＤＩ１１８に電流が流されていない間は、設備の異常を通知する状態信号を、遠方監視制御装置１０に送信しない。
【００３３】
図２に示す表示入力回路１００において、電源１１１の電圧値をＥ、フォトカプラ１１３の抵抗値をＲ０、抵抗１１４の抵抗値をＲ１とすると、表示入力回路１００全体に流れる電流値Ｉは以下の式で求められる。
【００３４】
Ｉ＝Ｅ／（Ｒ０＋Ｒ１）
【００３５】
ここで、フォトカプラ１１３の抵抗Ｒ０を０Ωとして、上記の式を計算すると、表示入力回路１００に流れる電流は以下のようになる。
【００３６】
Ｉ＝１００（Ｖ） / ２０００（Ω） = ０．０５（Ａ） = ５０（ｍＡ）
【００３７】
計算の結果から、図３に示すように、表示入力回路１００全体の電流は、５０ｍＡで一定することがわかる。よって、表示入力回路１００における消費電力は、１００Ｖ×５０ｍＡ＝５Ｗとなる。
【００３８】
しかしながら、遠方監視制御装置１１は、図４に示すように、ＪＥＭ規格（日本電機工業会規格）によって、そのサイズと合計消費電力とが決定されている。ＪＥＭ規格では、遠方監視制御装置１１は、最大の合計消費電力が５００Ｗまでと定められている。なお、サイズは、幅７００ｍｍ、高さ２３００ｍｍと定められている。
【００３９】
よって、図２に示す表示入力回路１００を遠方監視制御装置１１に実装する場合には、表示入力回路１００を、１００個までしか実装できないことになる。
【００４０】
ここで、抵抗１１４の抵抗を大きくし、表示入力回路１００に流れる電流を小さくすることで、表示入力回路１００における消費電力を低減して、より多くの表示入力回路１００を実装することが可能となる。しかしながら、メカニカルリレー１１２をオンにして通電時に流れる電流がある程度大きくなければ、メカニカルリレー１１２の酸化による接触不良を防止することができないという問題がある。一方で、上述したようにＪＥＭ規格によって遠方監視制御装置１１の消費電力の上限値は制限されているため、表示入力回路１００に流れる電流を大きくしてしまうと、遠方監視制御装置１１に実装できる表示入力回路１００の数が少なくなってしまうという問題がある。
【００４１】
以下、本発明の実施の形態に係る表示入力回路１１０として、そのような問題を解決する表示入力回路１１０について説明する。
【００４２】
続いて、図５を参照して、本発明の実施の形態に係る表示入力回路１１０について説明する。なお、説明の簡略化のため、図２に示す表示入力回路１００と同様の内容については、適宜、その説明を省略する。
【００４３】
図５に示すように、表示入力回路１１０は、図２に示す表示入力回路１００と比較して、さらに、電流調整回路１１７を有している。電流調整回路１１７は、フォトカプラ１１３と抵抗１１４の間に接続されている。電流調整回路１１７は、遠方監視制御装置１１に含まれる。
【００４４】
すなわち、表示入力回路１１０は、メカニカルリレー１１２と、フォトカプラ１１３と、電流調整回路１１７と、抵抗１１４とが直列に接続された回路となる。よって、メカニカルリレー１１２がオンとされている間、表示入力回路１１０では、メカニカルリレー１１２、フォトカプラ１１３、電流調整回路１１７と、抵抗１１４の順に直流電流が流れる。
【００４５】
電流調整回路１１７は、表示入力回路１１０の通電直後には表示入力回路１１０に最大の電流を流し、時間の経過とともに表示入力回路１１０に流れる電流を徐々に低下させた後、一定の電流値を維持する回路である。より具体的には、電流調整回路１１７は、抵抗１１５と、コンデンサ１１６とが並列に接続された回路である。ここでは、抵抗１１５が１８０００Ωである例について説明する。
【００４６】
電流調整回路１１７は、通電時にはコンデンサ１１６に電荷が溜まっておらず、電流調整回路１１７のインピーダンスは０Ωとなる。このときには、表示入力回路１１０は、図２に示す表示入力回路１００と等価となり、表示入力回路１１０に流れる電流は、図３に示す場合と同様に５０ｍＡとなる。
【００４７】
時間が経過し、コンデンサ１１６の電荷量が最大になると、電流調整回路１１７のインピーダンスは、抵抗１１５の抵抗値となる。よって、表示入力回路１１０に流れる電流値は、図３に示す電流値よりも低い一定値が維持される。すなわち、コンデンサ１１６に溜まっている電荷量に応じて、電流調整回路１１７のインピーダンスが変化し、表示入力回路１１０全体の電流が変化する。
【００４８】
図５に示す表示入力回路１１０において、電源１１１の電圧値をＥ、フォトカプラ１１３の抵抗値をＲ０、抵抗１１４の抵抗値をＲ１、電流調整回路１１７のインピーダンスをＺとした場合に、フォトカプラ１１３の抵抗Ｒ０を０Ωとすると、表示入力回路１１０全体の抵抗Ｒａの抵抗は以下の式で求められる。
【００４９】
Ｒａ＝Ｒ１＋Ｚ
【００５０】
コンデンサ１１６の静電容量をＣ、抵抗１１５の抵抗値をＲ２、周波数をｆとすると、電流調整回路１１７のインピーダンスＺは以下の式で求められる。
【００５１】
Ｚ＝１／√（（１／Ｒ２）２＋（２πｆＣ）２）
【００５２】
表示入力回路１１０に流れる電流は直流電流であるため、通電時の周波数を無限大とすると、電流調整回路１１７のインピーダンスＺは０Ωに近くなる。よって、通電時の電流は５０ｍＡとなる。
【００５３】
時間が経過し電荷が最大まで溜まると、コンデンサ１１６に対して電流は流れなくなり、周波数は０Ｈｚに近くなる。これによって、電流調整回路１１７のインピーダンスＺは、抵抗１１５の抵抗値である１８０００Ωとなる。よって、電荷が最大まで溜まった場合の電流は以下のようになる。
【００５４】
Ｉ＝１００（Ｖ）／（２０００＋１８０００）（Ω）＝０．００５（Ａ）＝５（ｍＡ）
【００５５】
計算の結果から、電荷が最大に達した以降は５ｍＡで一定することがわかる。すなわち、表示入力回路１１０全体の電流は、図６に示すように遷移する。
【００５６】
（１）通電時は、コンデンサ１１６の電荷が溜まっていないため、電流調整回路１１７のインピーダンスは０Ωとなる。このため、図６に示すように、通電時の表示入力回路１１０全体の電流は、図４に示す場合と変わらない。
（２）時間が経過し、コンデンサ１１６の電荷が最大になり、コンデンサ１１６が過渡状態から定常状態に遷移すると、電流調整回路１１７のインピーダンスは抵抗１１５の抵抗値に安定する。このため、電流調整回路１１７全体の電流値を、一定の低電流値に安定させることができる。
【００５７】
ここで、図６では、通電時の時間をＡで示し、コンデンサ１１６の電荷が最大となった時間をＢで示している。時間Ａでは、電流調整回路１１７全体の電流の大きさは、図３に示す場合と変わらないが、時間Ａから時間Ｂの間は徐々に低下し、時間Ｂ以降は、約５ｍＡで安定している。
【００５８】
続いて、図５に示す表示入力回路１１０において、定常状態になるまでの時間を求める。抵抗１１４の抵抗値をＲ１、抵抗１１５の抵抗値をＲ２、コンデンサ１１６の静電容量をＣとすると時定数は以下の式で求められる。
【００５９】
τ＝Ｃ・Ｒ１・Ｒ２／（Ｒ１＋Ｒ２）
【００６０】
この式から時定数τは、コンデンサ１１６の静電容量Ｃが１ｐＦの場合、以下のようになる。
【００６１】
τ＝Ｃ・Ｒ１・Ｒ２／（Ｒ１＋Ｒ２）
＝１・１０−１２・２０００（Ω）・１８０００（Ω）／（２０００＋１８０００）（Ω）
＝１．８・１０−９
【００６２】
また、過渡現象において電流は５τほど時間が経過したところで安定する。この時間を定常状態までの時間とすると、以下のように求められる。
【００６３】
ｔ＝５・１．８・１０−９＝９．０・１０−９[秒]
【００６４】
よって、コンデンサ１１６の静電容量が１ｐＦの場合、９．０・１０−９秒で定常状態となる。
【００６５】
ここで、セラミックコンデンサで、静電容量が大きいものの場合（Ｃ＝１００ｐＦ）の時定数は１００倍となる。この場合、定常状態となるまでの時間は９．０・１０−７秒となる。しかしながら、この場合であっても、極めて小さい値となるので、コンデンサ１１６として静電容量が大きいセラミックコンデンサを使用しても問題ない。また、以上に計算したように、そのセラミックコンデンサの静電容量が１００ｐＦ以下であれば、十分に問題のない時間で表示入力回路１１０における電流を定電流とすることができる。
【００６６】
すなわち、好ましくは、コンデンサ１１６として使用するコンデンサは、使用可能な電圧、単価の安さ、静電容量の小ささを考慮しセラミックコンデンサを使用するとよい。セラミックコンデンサは、耐圧２５Ｖ〜２０ＫＶで、静電容量は１〜１００ｐFのものが一般的に使用されている。
【００６７】
異常に説明したように、図５に示す表示入力回路１１０の電流は、時間が経過すると、図２に示す表示入力回路１００と比較して１０分の１となる。そのため、図５に示す表示入力回路１１０は、遠方監視制御装置１１に対して、図２に示す表示入力回路１００よりも、１０倍の個数を実装することができる。よって、１０倍の状態信号の伝達が可能となる。
【００６８】
ここで、図５に示す表示入力回路１１０は、通電時には、図２に示す表示入力回路１００と変わらないことから、その実装数を増やした場合には通電時の消費電力合計の大きさはＪＥＭ規格で規定された５００Ｗを超えてしまう。そのため、低電流に安定するまでの時間が長いと表示入力回路１１０全体の温度が上ってしまうようにも思える。しかしながら、本実施の形態では、上述したようにコンデンサ１１６として静電容量がとても小さいものを使用しているため、コンデンサ１１６の電荷量が最大になるまでの時間を短くすることができる。このように、温度上昇する前に低電流に安定するため、通電時の電流の大きさは、図２に示す表示入力回路１００と変わらなくても問題ない。
【００６９】
第１の効果は、本実施の形態に係る表示入力回路１１０は通電時の電流の大きさが、比較例に係る表示入力回路１００と変わらないことである。その理由は、 通電時はコンデンサ１１６に電荷が溜まっていないため、電流調整回路１１７のインピーダンスが０Ωとなるためである。これによれば、通電時に流れる電流を大きくし、メカニカルリレー１１２の酸化による接触不良を防止することができる。
【００７０】
第２の効果は、時間の経過とともにとともに表示入力回路１１０全体の電流を徐々に低下させて、最終的に一定の低電流を維持できることである。その理由は、時間が経過し、コンデンサ１１６の電荷が最大になると、電流調整回路１１７のインピーダンスが抵抗１１５の抵抗値に安定するためである。これによれば、表示入力回路１１０及びそれが実装された遠方監視制御装置１１の温度上昇を抑制し、故障などを防止することができる。
【００７１】
第３の効果は、図３に示す遠方監視制御装置１１に実装できる表示入力回路の数を増加できることである。その理由は、本実施の形態に係る表示入力回路１１０全体の電流が、比較例に係る表示入力回路１００の１０分の１になったことに伴い消費電力も１０分の１となったため、ＪＥＭ規格を遵守しつつも、図３に示す遠方監視制御装置１１に実装できる表示入力回路の数が１０倍になったためである。
【００７２】
以上に説明したように、本実施の形態では、メカニカルリレー１１２およびフォトカプラ１１３において必要な電流の大きさが異なる点に着目し、通電時にメカニカルリレー１１２に流れる電流は高電流とし、時間の経過とともに表示入力回路１１０全体の電流を一定の低電流に安定させる方法を提案した。電気回路の分野で、この目的を実現できるのは、過渡現象を利用するのが唯一の手段として挙げられる。電気回路で過渡現象を発生させるのはコンデンサもしくはコイルを用いた回路になるが、通電時の電流が時間の経過とともに減少し低電流に安定するものはコンデンサを用いた回路のみになる。コイルを用いた回路の場合、電流０ｍＡから時間経過とともに上昇し、電流が一定の高電流に安定する。すなわち、コイルを用いた回路の場合、電流の大きさがコンデンサとは逆に推移してしまう。そのため、本実施の形態では、コンデンサ１１６による過渡現象を利用している。
【００７３】
また、コンデンサを用いた過渡現象はコンロやストーブの着火、カメラのフラッシュ発光など通電時の電流の大きさが利用されることが一般的であるが、本実施の形態では通電時の電流のみならず定常状態に電気回路を流れる電流も信号の通信に利用している点が異なる。
【００７４】
＜発明の実施の形態の変形例１＞
図５に示す表示入力回路１１０において抵抗１１５の抵抗値をより大きくした場合にも、フォトカプラ１１３が動作可能な電流を下回らない限り、電流を低下させることで消費電力を低下させることができる。これによって、より多くの回路を実装することができる。  
【００７５】
例えば、フォトカプラ１１３が動作可能な電流（動作に必要な最低限の電流）が２ｍＡとすると、抵抗１１５で使用できる最大の抵抗値は以下の式で求められる。
【００７６】
Ｒ＝（１００（Ｖ）／０．００２（Ａ））−２０００（Ω）＝４８０００（Ω）
【００７７】
上記式で算出した抵抗値を、図５に示す表示入力回路１１０に適用して、時間経過後もフォトカプラ１１３が動作可能な電流が流れることを確認すると以下となる。
【００７８】
Ｚ＝１／√（（１／Ｒ２）２＋（２πｆＣ）２）＝
＝１／√（（１／４８０００）２＋（２π・０・Ｃ）２）
＝４８０００（Ω）
【００７９】
Ｉ＝１００（Ｖ）／（２０００＋４８０００）（Ω）
＝０．００２（Ａ）＝２（ｍＡ）
【００８０】
よって、フォトカプラ１１３が動作可能な最低限の電流に基づいて算出した抵抗値を持つ抵抗を、図５に示す表示入力回路１１０における抵抗１１５として使用すると、図２より２５倍の回路を実装することができることがわかる。このように、表示入力回路１１０における抵抗１１５の抵抗値は、上述した実施の形態の例（１８０００Ω）に限られない。
【００８１】
また、このように、電流調整回路１１７が定電流となった場合（そのコンデンサ１１６が定常状態となった場合）における電流の電流値が、フォトカプラ１１３が動作可能な最低限の電流値となるように、電流調整回路１１７の抵抗１１５の抵抗値を定めることで、遠方監視制御装置１１に対して、より多くの表示入力回路１１０を実装できるようにすることができる。
【００８２】
＜発明の実施の形態の変形例２＞
また、上述の実施の形態では、図７の左図に示すように、異常発生時にメカニカルリレー１１２をオンにして通電し、通常時にメカニカルリレー１１２をオフにして通電しないようにしていたが、これに限られない。図７の右図に示すように、異常発生時にメカニカルリレー１１２をオフにして通電しないようにし、通常時にメカニカルリレー１１２をオンにして通電するようにしてもよい。なお、図７では、フォトカプラ１１３及び電流調整回路１１７（抵抗１１５、コンデンサ１１６）の図示は省略している。
【００８３】
これは、例えば、被制御所３の遠方監視制御装置１１自身の電源装置１３の故障状態も監視する場合に有効である。通常時は、メカニカルリレー１１２を常時オンにして、表示入力回路１１０を通電状態にして内部ＤＩ１１８に電流を流し、内部ＤＩ１１８は、正常状態を通知する状態信号を、制御所２の遠方監視制御装置１０に送信し続ける。この場合、制御所２では、遠方監視制御装置１０は、正常状態を通知する状態信号の受信に応じて、遠方監視制御装置１０に接続された情報表示端末に、被制御所３の遠方監視制御装置１１の電源装置１３の状態が正常であることを表示してもよい。
【００８４】
一方、被制御所３の遠方監視制御装置１１の電源装置１３が故障となった場合は、電流を流せなくなるため、内部ＤＩ１１８は、正常状態を通知する信号を、制御所２の遠方監視制御装置１０に送信できなくなる。この場合、制御所２の遠方監視制御装置１０は、正常状態を通知する状態信号を受信できなくなるため、遠方監視制御装置１０に接続された情報表示端末で、被制御所３の遠方監視制御装置１１の電源装置１３の状態が異常であることを表示するようにしてもよい。
【００８５】
＜発明の他の実施の形態＞
また、遠方監視制御装置１１内にパルス信号入力回路を実装する場合にも、パルス信号入力回路が図２に示す表示入力回路１００と同様な回路であるため、本発明を適用することができる。
【００８６】
すなわち、本発明を適用したパルス信号入力回路が表示入力回路１１０と異なる点は、フォトカプラ１１３のフォトトランジスタが出力する電流がパルス信号として扱われる点である。パルス信号は、単位時間当たりに電流を通電した回数を計測する用途に使われる。
【００８７】
遠方監視制御システム１が、時間雨量の監視するシステムである例を挙げて説明すると、監視対象の設備となる雨量計の受水器が一定量を超えたときに溜まっている雨水が排出される。雨水が排出されたタイミングで雨量計に実装されている回路が通電され、排出が終わると通電をやめる。すなわち、この回路は、表示入力回路１１０（パルス信号入力回路）における被監視制御装置１２側の回路として機能する。このように、監視対象となる設備が被監視制御装置１２を兼ねていてもよい。通電してから非通電に切り替わることで、遠方監視制御装置１１からパルス信号が出力されて、遠方監視制御装置１０で、そのパルス信号の数が、雨量計の受水器が一定量を超えた回数として計上される。また、遠方監視制御装置１０は、受水器の一定量と、一時間あたりに通電された回数（パルス信号が入力された回数）で時間雨量を算出する。例えば、遠方監視制御装置１０は、受水器の一定量を０．５ｍｍ、一時間あたりに６回排出された（パルス信号を６つ受信した）とすると、時間雨量を３．０ｍｍとして算出する。
【００８８】
このように、パルス信号は通電もしくは非通電の切り替えによって発生する信号となるため、パルス信号入力回路の構造は表示入力回路１１０と同様になる。また、このように、表示入力回路１１０によって通知される設備の状態は、設備が異常であるか否かのみに限られない。
【００８９】
以上に説明したように、本実施の形態に係る表示入力回路１１０（監視回路）は、自身が通電されているか否かに応じて、監視対象となる設備の状態を通知する状態通知回路（フォトカプラ１１３及び内部ＤＩ１１８）と、設備の状態の変化に応じて、状態通知回路の通電状態を切り替える切替回路（メカニカルリレー１１２）と、状態通知回路と直列に接続され、状態通知回路に流れる電流を調整する電流調整回路１１７とを備えている。そして、電流調整回路１１７は、抵抗１１５とコンデンサ１１６とが並列に接続された回路である。
【００９０】
これによれば、上述したようにコンデンサ１１６による過渡現象を利用して、通電直後におけるコンデンサ１１６の過渡状態では表示入力回路１１０に流れる電流を高電流として切替回路の接触不良を防止し、その後のコンデンサ１１６の定常状態では表示入力回路１１０に流れる電流を低電流とすることができるため、装置に実装できる表示入力回路１１０を増加することができる。
【００９１】
ここで、電流調整回路１１７は、抵抗１１５とコンデンサ１１６とが並列に接続された回路構成とされている。すなわち、本実施の形態によれば、簡易な回路構成で、通電状態を切り替える回路（メカニカルリレー１１２）における接触不良を防止することができる。これは、本願発明者が、このような回路構成によって一時的に高電流が発生した場合であっても、温度上昇などの問題がないことを見出したことで得られた構成である。また、好ましくは、上述したように、コンデンサ１１６として、セラミックコンデンサを利用するとよい。また、さらに好ましくは、上述したように、そのセラミックコンデンサの静電容量が１００ｐＦ以下であるとよい。
【００９２】
なお、本発明は上記実施の形態に限られたものではなく、趣旨を逸脱しない範囲で適宜変更することが可能である。
【符号の説明】
【００９３】
１  遠方監視制御システム
２  制御所
３  被制御所
１０、１１  遠方監視制御装置
１２  被監視制御装置
１３  電源
１００、１１０  表示入力回路
１１１  電源
１１２  メカニカルリレー
１１３  フォトカプラ
１１４、１１５  抵抗
１１６  コンデンサ
１１７  電流調整回路
１１８  内部ＤＩ
【図１】
0006562451.tif 000002
【図２】
0006562451.tif 000003
【図３】
0006562451.tif 000004
【図４】
0006562451.tif 000005
【図５】
0006562451.tif 000006
【図６】
0006562451.tif 000007
【図７】
0006562451.tif 000008